(57)【要約】【課題】容易に着脱可能であり、十分な吸音性能を有するハンマー用防音カバーを提供する。【解決手段】  ハンマー１５に着脱可能なハンマー用防音カバー１であって、ハンマー１５のヘッド１７の一方の打撃頭部１６にとりつけられる、軟質材料からなるキャップ３と、ハンマー１５のヘッド１７の他方にとりつけられる固定部材１１と、キャップ３と固定部材１１を結合させ、伸縮性を有する結合部材８、９と、キャップ３内に収容される吸音材２と、を含むハンマー用防音カバーである。【選択図】  図２
2020006491.tif 000002
【特許請求の範囲】
【請求項１】
ハンマーに着脱可能なハンマー用防音カバーであって、
前記ハンマーのヘッドの一方の打撃頭部にとりつけられる、軟質材料からなるキャップと、
前記ハンマーのヘッドの他方にとりつけられる固定部材と、
前記キャップと前記固定部材を結合させ、伸縮性を有する結合部材と、
前記キャップ内に収容される吸音材と、を含む
ハンマー用防音カバー。
【請求項２】
前記固定部材は軟質材料からなる筒形状である、請求項１に記載のハンマー用防音カバー。
【請求項３】
前記キャップ内であって、吸音材よりも打撃側に金属板を含む、請求項１または２に記載のハンマー用防音カバー。
【請求項４】
前記吸音材は軟質樹脂層および段ボール層を含み、前記段ボール層は前記軟質樹脂層よりもハンマー側に配置される、請求項１〜４のいずれかに記載のハンマー用防音カバー。
【請求項５】
請求項１〜４に記載のハンマー用防音カバーが装着されたハンマー。
【発明の詳細な説明】
【技術分野】
【０００１】
本発明は、特に建築現場等で使用され、ハンマーの打撃に伴う騒音を低減するハンマー用カバーおよびハンマーに関する。
【背景技術】
【０００２】
建設現場等において、例えば金属パイプによる足場組み付けの際にハンマー殴打による騒音が発生し、近隣の住民のストレスになるという問題があった。そこで、従来、ハンマーによる打撃音を低減する方法が検討されてきた。
【０００３】
特許文献１は、ハンドハンマ−や電動ハンマ−の殴打頭部が反発弾性値の低いエラストマ−またはゴムである制振樹脂材からなる被覆部により覆われ、被覆部の外側は金属やプラスチックやゴムからなる保護体により覆われたハンマーおよび着脱可能なキャップを開示している。特許文献２は、ハンマーの本体部分に、特殊粘弾性ゴムから成る打撃部材がとりつけられているショックレス・ハンマーを開示している。特許文献３は、ハンマー打撃部にゴム状弾性体材料から成る受衝部を有し、受衝部内に小孔を有する金属板が埋設されている、ハンマー消音キャップを開示している。
【先行技術文献】
【特許文献】
【０００４】
【特許文献１】特開２００２−２００５７８号公報
【特許文献２】実開昭６１−１０９６８６号公報
【特許文献３】実開昭５０−１３６８６５号公報
【発明の概要】
【発明が解決しようとする課題】
【０００５】
しかしながら、特許文献１および特許文献２のハンマーおよびハンマー用キャップでは、吸音材または被膜材を凹凸またはネジによりハンマー頭部と係合させているため、キャップを取り付けるための係合部を有するハンマーを新たに準備する必要があり、長年使い慣れたハンマーに後付けすることはできない。また、吸音材としてゴムまたはエラストマーのみを用いているため、吸音性能が不十分である。特許文献３のハンマー用キャップでは、取り付け方法は明記されていないがしっかりと固定しようとすると着脱は困難であるし、また吸音性能も不十分である。
【０００６】
そこで、本発明は、使い慣れたハンマーに後付けで、また容易に着脱可能に取り付けられるハンマー用防音カバーおよび防音ハンマーを提供することを課題とする。
【課題を解決するための手段】
【０００７】
本発明は、ハンマーに着脱可能なハンマー用防音カバーであって、前記ハンマーのヘッドの一方の打撃頭部にとりつけられる、軟質材料からなるキャップと、前記ハンマーのヘッドの他方にとりつけられる固定部材と、前記キャップと前記固定部材を結合させ、伸縮性を有する結合部材と、前記キャップ内に収容される吸音材と、を含むハンマー用防音カバーである。
【０００８】
これによれば、防音カバーがハンマーに容易に着脱可能になり、使いなれたハンマーに取り付けることができるし、使用後防音カバーが劣化しても、容易に取り換えることができる。ヘッドの一方にキャップ、他方に固定部材がとりつけられ、それらが伸縮性を有する結合部材により結合されているため、ヘッドの一方の打撃頭部に取り付けられたキャップと、ヘッドの他方側に取り付けられた固定部材が確実に結合され、作業中においても引張等に耐えることができ、外れたりずれることがない。また、吸音材を含むことによって、打ち込み時の騒音が軽減される。キャップは軟質材料から成るため、ハンマーの形状になじみやすく、また、かたいものを叩いたときにキャップが割れてケガをする心配がない。軟質材料は、ゴム、塩ビ、エラストマー等から選択される。
【０００９】
前記固定部材は軟質材料からなる筒形状であることが好ましい。
【００１０】
これによれば、ヘッドの一方の打撃頭部がカバーのキャップにより覆われ、ヘッドの他方の打撃頭部はカバーにより覆われていないため、例えば両口ハンマーに用いた場合には必要に応じて打撃頭部を使いわけることができる。例えば、騒音を抑えたい時はキャップ側の打撃頭部、堅く鋭利なものを叩く時は固定部材側、すなわちカバーに覆われていない打撃頭部を用いることができる。また、片口タイプのハンマーにも適用可能である。
【００１１】
前記ハンマー用防音カバーは、前記キャップ内であって、吸音材よりも打撃側に金属板を含むことが好ましい。
【００１２】
これによれば、吸音性能を保ちながら、作業者が硬い物を叩いた感触を手に感じやすくなる。
【００１３】
前記吸音材は軟質樹脂層と段ボール層を含み、前記段ボール層は前記軟質樹脂層よりもハンマー側に配置されることが好ましい。前記軟質樹脂層としては、ジェル状のジェルマットや、シリコーン樹脂層が挙げられる。
【００１４】
これによれば、高い吸音性能が得られる。
【００１５】
また、本発明は、上記ハンマー用防音カバーが装着されたハンマーである。
【発明の効果】
【００１６】
本発明によるハンマー用防音カバーは、ハンマーへの着脱が容易であり、手持ちのハンマーに容易に取り付けられる。また、使用中、ハンマーにしっかりと固定される。また、打撃感と打撃力は維持しつつ、防音性能が高く、建設現場などにおいて、騒音を低減することができる。
【図面の簡単な説明】
【００１７】
【図１】本実施形態のハンマー用防音カバーの斜視図である。
【図２】同実施形態のハンマー用防音カバーを装着したハンマーの中央断面図である。
【図３】同実施形態のハンマー用防音カバーの取付方法を説明する概略図である。
【発明を実施するための形態】
【００１８】
以下、図１、２を参照しながら、本発明の好ましい実施形態について説明する。本実施形態では、ハンマーとして鉄製のヘッド１７を有する両口ハンマー１５を用いる。ハンマー用防音カバー１は、両口ハンマー１５のヘッド１７に着脱可能なハンマー用防音カバーであって、前記両口ハンマー１５のヘッド１７の一方の打撃頭部１６にとりつけられる、軟質材料からなるキャップ３と、ヘッド１７の他方（打撃頭部１８側）にとりつけられる固定部材１１と、前記キャップ３と前記固定部材１１とを結合させ、伸縮性を有する結合部材８、９と、前記キャップ３内に収容される吸音材２と、キャップ３内に収容され吸音材２よりも打撃側に配置される金属板７を含んでいる。
【００１９】
キャップ３は、側壁部３１と頭壁部３２により成る内径10ｍｍ〜70ｍｍの有底円筒形状であり、内径は取り付けるハンマーの外径に応じて適宜設定する。側壁部３１と頭壁部３２は共にゴムやエラストマー、塩化ビニル樹脂等の軟質材料で形成されている。側壁部３１の厚みはハンマー１５に容易に着脱可能によく伸縮するよう１.５ｍｍ〜5ｍｍが好ましい。一方、頭壁部３２は打撃部となり強度が必要なため、その厚みは側壁部３１の厚みよりも厚く、5ｍｍ〜15ｍｍが好ましい。頭壁部３２が軟質材料から成るため、硬いものを叩いた場合もキャップ３が割れて作業者がケガをする虞がない。
【００２０】
キャップ３内には、吸音材２と金属板７を収納した内キャップ１３が収納される。内キャップ１３も有底円筒形状であり、塩化ビニル樹脂等の軟質材料で形成されている。吸音材２は、軟質樹脂５から成る軟質樹脂層と段ボール６から成る段ボール層から構成され、図２に示されるように、軟質樹脂５は打撃側、段ボール６はハンマーの打撃頭部１６側に配置されている。軟質樹脂５としては、防振マットとしても一般的に使用される、例えばゲル状ウレタン樹脂やウレタンエラストマーや熱可塑性エラストマーから成る軟質素材のマットであり、ジェル状樹脂からなるジェルマットや、シリコーン製のシーリング剤が好ましい。軟質樹脂５は吸音性能を確保するため、３ｍｍ〜10ｍｍが好ましい。軟質樹脂５として用いられるジェルマットの例として、特開２００１―３１６４４７、特開２００７−８５４６１、特開２００４−３２３５９８を参照されたい。軟質樹脂５は吸音性能が高く、段ボール６との組み合わせによりさらに吸音性能が高くなる。
【００２１】
段ボール６は表ライナー、裏ライナー、波状の中芯を有する一般的なものであり、厚み１.５ｍｍ〜３ｍｍが好ましい。段ボール６は単層または複層であり、本実施形態では単層である。内部に空気層を含むため、段ボール６だけでも吸音性能は高いが、雨の日などに水が入り込んでしまうと一時的に劣化してつぶれてしまうため、軟質樹脂５と共に用いるのが好ましい。
【００２２】
金属板７は、厚み１ｍｍ〜１.５ｍｍの鉄製の薄板であり、作業者が硬いものを叩いた時の感触を感じやすくするものである。通常、柔らかい材料から成るハンマーによって、硬いものを叩くと、弾力のみを手が感じるのみであり、硬いものを叩いた感触が少なく、作業者にとって不都合である。金属板７を入れることによって、硬いものを叩いた感触を手に感じやすくなる。
【００２３】
キャップ３内に軟質樹脂５と段ボール６と金属板７を収納する方法の一例としては、まず内キャップ１３に段ボール６を入れ、その後シリコ−ンシーリング剤を目的の厚みとなるように充填させ、その後金属板７を収納する。固化したシリコ−ンシーリング剤は軟質樹脂５となる。その後、軟質樹脂５と段ボール６と金属板７が内キャップ１３の底とキャップ３の底の間で保持されるように、内キャップ１３をキャップ３に嵌めこみ、接着固定する。
【００２４】
固定部材１１は、キャップ３側とは反対側のヘッド１７にとりつけられ、塩化ビニル樹脂やゴム等の軟質樹脂からなる、内径10ｍｍ〜70ｍｍの略円筒形状であり、内径は取り付けるハンマーの外径に応じて適宜設定する。打撃頭部１８から嵌められ、打撃頭部１８よりも内側（柄側）に嵌着される。ハンマーの形状によって、固定部材１１がヘッド１７の途中で固定されてもよいし、ハンマーの柄に密着するように固定されてもよい。固定部材１１の周面の厚みはハンマーに容易に着脱可能によく伸縮するよう１.５ｍｍ〜5ｍｍが好ましい。
【００２５】
結合部材８、９は、伸縮性を有するゴムベルトであり、各々がキャップ３と固定部材１１を結合するものである。結合部材８、９はそれぞれキャップ３の側壁部３１および固定部材１１の側面と鋲１２により固定されている。結合部材は、少なくとも、打撃部の下側、すなわちハンマーの柄側であり、かつ柄を挟むように設けられる２本の下側結合部材９、９と（図２においては１箇所のみが見えている）、ハンマー上側にとりつけられる一本の上側結合部材８を含むことが好ましい。結合部材８、９の各々が伸縮性を有しているため、図中右側の固定部材１１と左側のキャップ３は確実に結合され、作業中においても両方からの引張に耐えることができ、外れたりずれることがない。後述する防音カバー１の着脱を容易にするため、上側結合部材８と、下側結合部材９、９は色または模様が異なることが好ましい。
【００２６】
防音カバー１のハンマー１５への着脱方法について図３を参照しながら説明する。防音カバー１を取り付ける時は、図３（a）のように、まず、２本の下側結合部材９、９の間に上からハンマー１５の柄を通して、防音カバー１をヘッド１７部分にスライドさせる。この際、上側結合部材８と下側結合部材９、９の色または模様が異なっているため、使用者は容易にハンマー１５の柄を通す場所を認識できる。次に、図３（ｂ）のように、ヘッド１７の図中右側打撃頭部から固定部材１１を通し、少なくとも打撃頭部が露出するまで固定部材を内側（柄側）に装着する。その後、図３（ｃ）のように、ヘッド１７の図中左側打撃頭部にキャップ３を取り付ける。
【００２７】
防音カバー１を取り外す時は、キャップ３を打撃頭部１６から外してから固定部材１１を取り外し、その後下側結合部材９、９の間に柄を通しながらスライドさせて取り外せばよい。このように、ヘッド１７の両側に取り付けられるキャップ３と固定部材１１が伸縮性のある結合部材８、９により結合されていることにより、防音カバー１を容易にハンマーに着脱できる。
【００２８】
本実施形態においては、両口ハンマー１５の一方の打撃頭部１６にキャップ３が嵌められ、他方の打撃頭部１８は露出した状態であるため、必要によって打撃頭部１６、１８を使い分けることができる。例えば、音を抑えたい場合はキャップ３が装着された打撃頭部１６側を用いて、硬く鋭利な物を叩く時は打撃頭部１８を用いる。硬く鋭利な物をキャップ３側で叩くとキャップ３が破損する虞があるため、キャップ３で覆われた打撃頭部１６と、打撃頭部１８とを使い分けることによって、防音カバー１を長く使用することができる。
【００２９】
表１は、本実施形態の防音カバー１を鉄製ヘッドを有する両口ハンマーに取り付けた場合と、鉄製ヘッドを有する両口ハンマーそのものを用いた場合、および樹脂ハンマー（打撃部はポリ塩化ビニル製）を用いた場合の、打ち込み力および打ち込み時に発生する騒音の比較を示す。本実施形態の防音カバー１を取り付けた場合には、キャップ３側の打撃頭部を用いた。それぞれのハンマーで一回、同等の打撃力により、仮設足場材料のクサビ緊結式足場の手摺を叩き、打ち込み前から打ち込み後の打ち込み距離を測定した。また、その時に発生する音をデジタル騒音計により測定した。なお、測定場所において、ハンマー音無しの昼間の騒音は４５〜５５ｄＢであった。
【００３０】
【表１】
2020006491.tif 000003
【００３１】
表１により、本発明のハンマー用防音カバー１を取り付けたハンマーは、鉄ハンマーと同等の打撃力を確保しつつ、騒音を大きく低減できることがわかる。
【００３２】
本実施形態では、両口ハンマー１５に防音カバー１をとりつけたが、ハンマーの種類は限定されず、先切金槌等の片口タイプのハンマーなどにも適用できる。その場合は、通常の打撃面にはキャップ３を装着し、他方には固定部材１１を装着すればよい。
【００３３】
本発明の実施の形態は、上述した実施の形態に限定されるものではない。本発明の技術的思想を逸脱しない範囲において、改良、変更、追加等を加えることができる。それらの改変、均等物等も本発明の技術的範囲に含まれる。
【産業上の利用可能性】
【００３４】
本発明は建築分野等において、騒音の低減に貢献できるハンマー用カバーおよびハンマーを提供でき、その工業的利用価値は大である。
【符号の説明】
【００３５】
１・・・ハンマー用防音カバー
２・・・吸音材
３・・・キャップ
３１・・・側壁部
３２・・・頭壁部
５・・・軟質樹脂
６・・・段ボール
７・・・金属板
８、９・・・結合部材
１１・・・固定部材
１２・・・鋲
１３・・・内キャップ
１５・・・両口ハンマー
１６、１８・・・打撃頭部
１７・・・ヘッド
【図１】
2020006491.tif 000004
【図２】
2020006491.tif 000005
【図３】
2020006491.tif 000006